(57)【要約】【課題】故人の写真や経歴，生前の様子などを生前アルバムとして収納し、手軽に再生できる記録ビデオ再生機能付き位牌を提供する。【解決手段】故人の写真，声，動画，経歴等をデジタル情報として記憶せしめた半導体記憶素子と、該記憶素子に記憶させた情報を読み出し、再生させる通信回路を含む再生装置を箱体内部に組み込むと共に、箱体前面に再生させた前記情報を表示する表示装置３及び音声として再生させるスピーカーを具備せしめた故人の情報制御再生装置２を位牌１下部に引き出し可能に収納し、情報制御再生装置２引き出し時、前記表示装置３を前面に向けて立設可能となすと共に、該表示装置３下部に操作盤４を配して故人の情報を選択的に表示させるチャンネルボタン５及び再生スピーカーの音量を調節する音量調節スイッチ６を配設した。【選択図】      図２
0003123860.tif 000002
【実用新案登録請求の範囲】
【請求項１】
故人の写真，声，動画，経歴等をデジタル情報として記憶せしめた半導体記憶素子と、該記憶素子に記憶させた情報を読み出し、再生させる通信回路を含む再生装置を箱体内部に組み込むと共に、箱体前面に再生させた前記情報を表示する表示装置及び音声として再生させるスピーカーを具備せしめた故人の情報制御再生装置を位牌下部に引き出し可能に収納し、情報制御再生装置引き出し時、前記表示装置を前面に向けて立設可能となすと共に、該表示装置下部に故人の情報を選択的に表示させるチャンネルボタン及び再生スピーカーの音量を調節する音量調節スイッチを配設せしめてなることを特徴とする記録ビデオ再生機能付き位牌。
【請求項２】
情報制御再生装置がジャックを介しコントロールボックスに接続される請求項１記載の記録ビデオ再生機能付き位牌。
【考案の詳細な説明】
【技術分野】
【０００１】
本考案は故人の写真や経歴ならびに生前の様子をアルバムとして記録し、必要に応じて表示再生することができる記録ビデオ再生機能付き位牌に関するものである。
【背景技術】
【０００２】
従来の位牌は一般に個人の戒名と死去した年月日を表示したもので、そのイメージとしては文字の書かれた単なる木片でしかないと思われ、特に昨今の若い世代の仏壇離れは周知の如くで、他の家具調度品の中心に置かれているとしても単なる飾りのように思われて、仏壇の前に鎮座することは法要の時か、何らかの行事ごとでもないと殆どしない風潮になってしまっている。
【０００３】
しかも、位牌は上述のように戒名と死去年月日が表記されているだけであるため、三代目以降になるとその故人がどのような人であったか分からないことが多い。
【０００４】
そこで故人を知るため、その経歴や生前の様子を記録し、必要に応じて表示、再生することができるマルチメディア位牌と、その制御再生装置が提案されている。（例えば特許文献１参照）
このマルチメディア位牌は故人の声，写真，ビデオ，経歴等の情報をデジタル化して記憶させた記憶素子とマイクロコントローラ，通信回路，赤外線送受信素子からなる電子回路を内部に組み込んだ位牌であり、別に設けたキーボードを操作して前記赤外線送受信部より指令を出して位牌中の記憶素子に記憶させた故人のデジタルデータを表示装置に表示したり、スピーカーで再生する構造となっている。
【特許文献１】特開平９−１５４７０９号公報
【考案の開示】
【考案が解決しようとする課題】
【０００５】
ところが、上記位牌は故人の経歴や生前の様子を必要に応じて表示、再生できることは頗る有用であるが、本体とは別に操作のためのパソコン装置が併用され、そのため高価でスペースも必要となって日常における手軽な使用には稍、実用性に欠ける難があった。
【０００６】
本考案は上述の如き実状に鑑み、別の操作装置の必要をなくし、装置の簡易化を図ることにより、設置スペースを少なくして実用性を高め手軽に故人情報を知って故人を偲ぶことを目的とするものである。
【課題を解決するための手段】
【０００７】
即ち、上記目的に適合する本考案は、故人の写真，声，動画，経歴等をデジタル情報として記憶させた記憶素子と、該記憶素子に記憶させた情報を読み出し、再生させる通信回路を含む本体装置を内部に組み込むと共に、再生させた上記情報を表示する表示装置及び音声として再生させるスピーカーを具備せしめた故人の情報制御再生装置を位牌下部に引出し可能に収納し、情報制御再生装置引出し時、前記表示装置を前面に向けて立設可能となすと共に、該表示装置下部に故人の情報を選択的に表示させるチャンネルボタン及び再生スピーカーの音量を調節する音量調節スイッチを設けた構成である。
【０００８】
なお、ここで情報制御再生装置はジャックを介しコントロールボックスに接続されるようになっている。
【考案の効果】
【０００９】
本考案位牌によれば、ジャックを介しコントロールボックスと接続させることにより、位牌に組み込まれた記憶素子，通信回路により故人の写真，経歴や動画等を表示装置に選択的に表示することができ、また音声をスピーカーを介して聴くことができ、遺族に忘れ去られがちな故人の情報を手軽に知って故人を偲ぶことができて、命日や法事の際のみならず日常においても故人を身近に感じる効果を有している。
【考案を実施するための最良の形態】
【００１０】
以下、添付図面を参照し、本考案位牌の具体的な実施態様を説明する。
【００１１】
図１，図２は本考案に係る位牌の１例であり、図１は本体となる情報制御再生装置の収納状態図、図２は同装置の引出し状態図である。
【００１２】
これら図において、1は位牌、２は故人の情報制御再生装置本体であり、同情報制御再生装置本体２は図１に示す如く位牌１の下部に設けられた収納空間内に随時引出し得るように収納されており、使用に際して引き出すとき、図２の如く表示装置３を前面側に向けて立設されるようになっている。
【００１３】
情報制御再生装置本体２は、特に図示していないが、その内部に故人の声，写真，ビデオ，経歴その他、係累情報等をデジタル化して記憶させたＲＯＭ，ＲＡＭなどの半導体記憶素子ならびに記憶させた上記デジタル情報を読み出し再生させる通信回路を含む再生装置が組み込まれており、本体前面には再生させた情報を表示する液晶画面からなる表示装置３が引き出し時、露出するように配設されていると共に、特に図示されていないが、音声として再生させるスピーカーが設けられている。
【００１４】
そして、上記情報制御再生装置本体２が収納された位牌下部には操作盤４が設置されており、操作盤４には記憶素子中の情報を写真，ビデオ，声，経歴等に分けて選択的に表示するチャンネルボタン５及び再生スピーカーの音量を調節する調節用スイッチ６，更に電源スイッチが設けられている。なお、情報制御再生装置本体２はジャック（ソケット）７を介し電圧変換コントロールボックス８に接続されてプラグ９により電源に接続されるようになっている。
【００１５】
かくして、上記位牌において情報制御再生装置を電源に接続すれば、チャンネルボタン５を操作することにより、故人の声，写真，手紙，ビデオ、経歴等を夫々、選択して再生し、表示装置３に表示することができ、あるいはその声をスピーカーを通じて適当な音量で聴き、忘れられがちな故人に関する情報を手軽に再生して故人を偲ぶことができ、日常においても勿論、特に命日や法事に際し頗る有用である。
【図面の簡単な説明】
【００１６】
【図１】本考案に係る位牌の情報制御再生装置収納時の正面図である。
【図２】本考案に係る位牌の情報制御再生装置引出し時の斜視図である。
【符号の説明】
【００１７】
１：位牌
２：情報制御再生装置本体
３：表示装置
４：操作盤
５：チャンネルボタン
６：音量調節用スイッチ
７：ソケット
【図１】
0003123860.tif 000003
【図２】
0003123860.tif 000004